(57)【要約】      （修正有）【課題】金属スレッドで電極を構成する静電容量センサーを提供する。【解決手段】静電容量式タッチパネルに応用し、複数の第一電極、複数の第二電極１３、複数のダミー電極１５を備える静電容量センサーである。各第一電極はそれぞれ第一導線部を備える。各第二電極１３は各第一電極の下方に設置し、しかも各第一電極と絶縁交差し、各第二電極１３は第二導線部を備える。各ダミー電極１５は対応する各２本の第一電極の間に設置し、しかも対応する各２本の第一電極の間をそれぞれ隔てる。各ダミー電極１５は複数の連続部１５ａ、複数の断線部１５ｂを備え、各断線部１５ｂと第二電極１３が対応する第二導線部とは相互に重なり、しかも各断線部１５ｂの幅は、対応する第二導線部の幅より小さいか、同等である。【選択図】図２
0003187698.tif 000002
【実用新案登録請求の範囲】
【請求項１】
静電容量式タッチパネルに応用し、複数の第一電極、複数の第二電極、複数のダミー電極を備える静電容量センサーであって、
前記各第一電極は、それぞれ第一導線部を備え、
前記各第二電極は、前記各第一電極の下方に設置し、しかも前記各第一電極と絶縁交差し、前記各第二電極は、第二導線部を備え、
前記各ダミー電極の内の一本のダミー電極は、対応する各２本の第一電極の間に設置し、しかも前記対応する各２本の第一電極の間をそれぞれ隔て、前記各ダミー電極は、複数の連続部、複数の断線部を備え、
前記各断線部と前記第二電極が対応する第二導線部とは、相互に重なり、しかも前記各断線部の幅は、前記対応する第二導線部の幅より小さいか、同等であることを特徴とする静電容量センサー。
【請求項２】
前記第一導線部は、網状導電性金属スレッドであることを特徴とする請求項１に記載の静電容量センサー。
【請求項３】
前記第二導線部は、網状導電性金属スレッドであることを特徴とする請求項１に記載の静電容量センサー。
【請求項４】
前記連続部は、２本の交差する導電性金属スレッドであることを特徴とする請求項１に記載の静電容量センサー。
【請求項５】
前記静電容量センサーはさらに、透明基板を備え、
前記透明基板には、前記各第一電極、前記各第二電極、前記各ダミー電極を設置することを特徴とする請求項１に記載の静電容量センサー。
【請求項６】
前記導電性金属スレッドの材質は、銅、アルミ、ニッケル、鉄、金、銀、ステンレス、タングステン、クロム、チタン、或いはその合金の内の一種であることを特徴とする請求項１〜３の任意の一項に記載の静電容量センサー。
【考案の詳細な説明】
【技術分野】
【０００１】
本考案は、静電容量式タッチパネルに用いる静電容量センサーに関し、金属スレッドで電極を構成する静電容量センサーに関する。
【背景技術】
【０００２】
従来のタッチパネルは、並んだ感知電極の間に、ダミー電極を形成する。ダミー電極は、感知電極と伝導せず、電気的に独立し、こうして感知電極間の寄生容量を低下させ、隣接する感知電極が相互に高周波駆動時に発生するショートを防止する。
【０００３】
しかし、ダミー電極は、非常に多くの断線部分を備える必要があり、これは感知電極の連続(非断線)導線図とは、完全に異なる。バックライト光源の光線が、ダミー電極と感知電極を通過する時、設置された電極と感知電極の遮蔽程度が不均一であるため、最後に人の目が見るディスプレイ画面は明暗が不均一となってしまう。
【考案の概要】
【考案が解決しようとする課題】
【０００４】
本考案の目的は、静電容量式タッチパネルの画面の輝度を均一にできる静電容量センサーを提供することにある。
【課題を解決するための手段】
【０００５】
本考案の上述の目的を達成するため、本考案による静電容量センサーは、静電容量式タッチパネルに応用し、複数の第一電極、複数の第二電極、複数のダミー電極を備える静電容量センサーであって、
該各第一電極は、それぞれ第一導線部を備え、
該各第二電極は、該各第一電極の下方に設置し、しかも該各第一電極と絶縁交差し、該各第二電極は、第二導線部を備え、
該各ダミー電極の内の一本のダミー電極は、対応する各２本の第一電極の間に設置し、しかも該対応する各２本の第一電極の間をそれぞれ隔て、該各ダミー電極は、複数の連続部、複数の断線部を備え、
該各断線部と該第二電極が対応する第二導線部とは、相互に重なり、しかも該各断線部の幅は、該対応する第二導線部の幅より小さいか、同等である。
【考案の効果】
【０００６】
本考案の静電容量センサーは、ダミー電極を改良することで、各断線部は、下方に位置する第二電極の第二導線部に遮蔽される。これにより、静電容量式タッチパネルの画面の輝度をより均一にすることができる。
【図面の簡単な説明】
【０００７】
【図１】本考案静電容量センサーの構造図である。
【図２】本考案静電容量センサーの第二電極とダミー電極の構造図である。
【図３】図２の局部を拡大した構造図である。
【考案を実施するための形態】
【０００８】
本考案の技術内容、構造特徴、達成する目的及び作用効果について、以下に例を挙げ並びに図面を組み合わせて詳細に説明する。
【０００９】
図１、図２、図３に示すように、本実施形態の静電容量センサー１０は、静電容量式タッチパネルに応用する。静電容量センサー１０は、複数の第一電極１１、複数の第二電極１３、複数のダミー電極１５を備える。
【００１０】
各第一電極１１、各第二電極１３、各ダミー電極１５は、透明基板１７に設置する。例えば、各第一電極１１、各ダミー電極１５は、透明基板１７の上表面に形成し、各第二電極１３は、透明基板１７の下表面に形成する。透明基板１７の材質は、電気的絶縁材質である。よって、各第一電極１１を、各第二電極１３と絶縁し、同様に、各ダミー電極１５も、各第二電極１３と絶縁する。
【００１１】
各第一電極１１は、第一導線部１１ａを備える。第一導線部１１ａの具体的実施形態は、網状導電性金属スレッドを採用することができる。各第二電極１３は、各第一電極１１の下方に設置し、しかも各第一電極１１と絶縁する。各第二電極１３は、第二導線部１３ａを備える。第二導線部１３ａの具体的実施形態は、網状導電性金属スレッドを採用することができる。
【００１２】
各第一電極１１は、透明基板１７の第一方向に向かい設置し、各第二電極１３は、透明基板１７の第二方向に向かい設置し、第一方向と第二方向とは、相互に平行ではない。そのため、各第一電極１１は、各第二電極１３と絶縁して相互に交わる。例えば、第一方向と第二方向とを、相互直交方向にすると、各第一電極１１は、各第二電極１３と絶縁して直交する。第一導線部１１ａと第二導線部１３ａとは、相同の網状導電性金属スレッドの構造を採用する。
【００１３】
第一導線部１１ａと第二導線部１３ａの網状導電性金属スレッドの材質は、銅、アルミ、ニッケル、鉄、金、銀、ステンレス、タングステン、クロム、チタン、或いはその合金の内の一種である。網状導電性金属スレッドの線の形状は、直線或いは弧状線を採用することができる。
【００１４】
各ダミー電極１５は、各２本の第一電極１１の間に設置する。しかも、各ダミー電極１５は、各２本の第一電極１１の間をそれぞれ隔てる。各ダミー電極１５は、複数の連続部１５ａ、複数の断線部１５ｂを備える。連続部１５ａの具体的実施形態は、２本が交差する導電性金属スレッドで、十字型或いはＸ字型を呈する。２本の交差する導電性金属スレッドの材質は、銅、アルミ、ニッケル、鉄、金、銀、ステンレス、タングステン、クロム、チタン、或いはその合金の内の一種である。２本の交差する網状導電性金属スレッドの線の形状は、直線或いは弧状線を採用することができる。
【００１５】
各断線部１５ｂと第二電極１３が対応する第二導線部１３ａとは、相互に重なり、しかも各断線部１５ｂの幅Ｗ1は、対応する第二導線部１３ａの幅Ｗ2より小さいか、同等である。各断線部１５ｂは、下方に位置する第二導線部１３ａにより遮蔽される。よって、キャパシタ式タッチパネルのバックライト光源の光線は、先ず、第二導線部１３ａに遮蔽され、バックライト光源の光線は、すべての断線部１５ｂを通過することはできない。こうして、キャパシタ式タッチパネルは、輝度がより均一な画面となる。
【００１６】
上下に隣接する連続部１５ａと、左右に隣接する連続部１５ａはすべて、断線部１５ｂにより分離され、しかも所定の間隔を隔てられる。断線部１５ｂは、透明基板１７を直接利用し形成するため、各連続部１５ａは、上下に隣接、及び左右に隣接する別の連続部１５ａに連接することはない。
【００１７】
本考案の静電容量センサー１０は、ダミー電極１５を改良することで、各断線部１５ｂは、下方に位置する第二電極１３の第二導線部１３ａに遮蔽される。これにより、キャパシタ式タッチパネルの画面の輝度をより均一にすることができる。
【００１８】
なお、以上は本考案の好ましい実施例の説明に過ぎず、並びに本考案を限定するものではなく、本考案に提示の精神より逸脱せずに完成されるその他の同等の効果の修飾或いは置換は、いずれも本考案の権利請求範囲内に属する。
【００１９】
１０    静電容量センサー
１１    第一電極
１１ａ  第一導線部
１３    第二電極
１３ａ  第二導線部
１５    ダミー電極
１７    透明基板
１５ａ  連続部
１５ｂ  断線部
【図１】
0003187698.tif 000003
【図２】
0003187698.tif 000004
【図３】
0003187698.tif 000005
【手続補正書】
【提出日】平成25年10月7日(2013.10.7)
【手続補正１】
【補正対象書類名】実用新案登録請求の範囲
【補正対象項目名】請求項６
【補正方法】変更
【補正の内容】
【請求項６】
前記導電性金属スレッドの材質は、銅、アルミ、ニッケル、鉄、金、銀、ステンレス、タングステン、クロム、チタン、或いはその合金の内の一種であることを特徴とする請求項２、３の任意の一項に記載の静電容量センサー。